(57)【要約】      （修正有）【課題】複数のクッション層を備えることによって単一のクッション層に比べて高い質感が得られるとともに、被施術者の挙動を考慮した十分な耐久性を有する歯科用椅子の表皮構造を提供する。【解決手段】着座部４または背凭れ部を被覆して第１クッション材２０を内包する第１表皮部材１０と、前記第１表皮部材１０の表面を覆って該第１表皮部材表面１０との間に第２クッション材２１を内包する第２表皮部材１１とを備え、前記第１表皮部材１０は、着座した被施術者の身体と接触する着座面側表皮部材１０ａ、および、前記身体と接触しないまち側表皮部材１０ｂによって被覆形状を形成しており、前記第２表皮部材１１は、一端を前記着座面側表皮部材１０ａに縫着され、他端を前記まち側表皮部材１０ｂに縫着されて前記第２クッション材２１が弾力性を維持する程度の内空間を有する袋状に設置されることを特徴とする。【選択図】図２
2017153539.tif 000002
【特許請求の範囲】
【請求項１】
着座部または背凭れ部を被覆して第１クッション材を内包する第１表皮部材と、
前記第１表皮部材の表面を覆って該第１表皮部材表面との間に第２クッション材を内包する第２表皮部材と、
を備え、
前記第１表皮部材は、
着座した被施術者の身体と接触する着座面側表皮部材、および、前記身体と接触しないまち側表皮部材によって被覆形状を形成しており、
前記第２表皮部材は、
一端を前記着座面側表皮部材に縫着され、他端を前記まち側表皮部材に縫着されて前記第２クッション材が弾力性を維持する程度の内空間を有する袋状に設置される、
ことを特徴とする歯科用椅子の表皮構造。
【請求項２】
前記第１クッション材と前記第２クッション材は、硬度あるいは弾力が異なる、
ことを特徴とする請求項１に記載の歯科用椅子の表皮構造。
【請求項３】
前記まち側表皮部材と前記第２表皮部材とを縫着する縫製ラインは、前記着座面側表皮部材と前記まち側表皮部材とを縫着する縫製ラインと異なる位置に設けられている、
ことを特徴とする請求項１または２に記載の歯科用椅子の表皮構造。
【請求項４】
前記第２表皮部材は、
該歯科用椅子の側方となる前記第１表皮部材表面に設置される、
ことを特徴とする請求項１から３のいずれか１項に記載の歯科用椅子の表皮構造。
【発明の詳細な説明】
【技術分野】
【０００１】
本発明は、歯科医院等で治療を行う際に使用する歯科用椅子において、患者が着座したとき上質な感触を与える歯科用椅子の着座部や背凭れ等の表皮構造に関する。
【背景技術】
【０００２】
従来の一般的な歯科用椅子は、適度な反発力を生じるクッション材を表皮部材などで覆い、当該歯科用椅子の背凭れ部や着座部の形状に成形している。
図３は、従来の歯科用椅子の概略構成を示す斜視図である。この図は、１層の表皮部材によって表面を構成した歯科用椅子の着座部１００を示したもので、他の部分の図示を省略している。図３（ａ）は着座部１００の斜視図であり、図３（ｂ）は、図３（ａ）に示したＢ−Ｂ線における着座部１００の概略断面を示している。
【０００３】
着座部１００の表面を覆っている表皮部材１０１は、着座部１００の着座面側を覆っている着座面側表皮部材１０１ａと、着座部１００の側面等を覆っている側面側表皮部材１０１ｂとを、図３（ｂ）に示したように、着座部１００の例えば上端側の縁端部位において縫着し、さらにパイピング材１０２を用いて当該縁端縫着部位を装飾している。この表皮部材１０１によって囲われる着座部１００内部には、クッション材１０３が詰め込まれている。このように、従来の着座部１００は、１層の表皮部材１０１によってクッション材１０３を覆って構成されている。なお、着座部１００とともに歯科用椅子を構成する背凭れ部についても、着座部１００と同様に１層の表皮部材で覆われる部分にクッション材１０３等が詰め込まれ、所定の形状に成形されている。
【０００４】
図４は、従来の歯科用椅子の他の概略構成を示す斜視図である。図４（ａ）は、他の構成例である従来の歯科用椅子の斜視図である。図４（ｂ）は、図４（ａ）に示したＣ−Ｃ線における概略断面を示している。図４の歯科用椅子は、ヘッドレスト部１１０、背凭れ部１１１、着座部１１２などによって構成されている。
例えば、背凭れ部１１１は、当該背凭れ部１１１の正面側を覆う正面側表皮部材１２１ａと、歯科用椅子の側方ならびに背面側を覆うまち側表皮部材１２１ｂとを縫着した第１表皮部材１２１によって覆われている。またさらに、背凭れ部１１１は、第１表皮部材１２１の正面側に配置固定された、第２表皮部材１２０を備えて構成されている。
【０００５】
第１表皮部材１２１は、図４（ｂ）に示したように袋状に形成されており、その内部には第１クッション材１３０が詰め込まれている。また、第２表皮部材１２０は、前述のように背凭れ部１１１の側方、背面、正面などを覆って、当該背凭れ部１１１のフレームなどの構造体を包み込む形状に成形されており、その内部に第２クッション材１３１が詰め込まれ、当該背凭れ部１１１を構成している。
第１表皮部材１２１の正面側に配置されている第２表皮部材１２０は、前述のように第２クッション材１３１を詰め込んだ袋状であることから、その縁端部を自由に動くようにし、背凭れ部１１１の中央部寄りの所定位置において、第２表皮部材１２０の背後側の部位（図４（ｂ）において下側部位）を第１表皮部材１２１の正面側部位（図４（ｂ）において上側部位）に縫着している。
なお、図４を用いて説明したものは、背凭れ部１１１の正面側に第２表皮部材１２０を配置したものであるが、歯科用椅子の着座部１１２の座面に第２表皮部材を設けて構成することも可能である。
【０００６】
また、発泡体からなるパッド等を被覆する身頃部に、装飾用の帯部を固定した車両用シートがある（例えば、特許文献１参照）。このシートは、パッドの着座面側を身頃部で被覆し、当該パッドの側面をまち部が被覆しており、パッドの一端縁において身頃部とまち部を接ぎ合わせている。この継ぎ合わせ部分は、内面側に保形布を縫着することによってＵ字状を保持する帯体を設けている。
【先行技術文献】
【特許文献】
【０００７】
【特許文献１】特開２００３−３４０１８０号公報
【発明の概要】
【発明が解決しようとする課題】
【０００８】
歯科用椅子は着座位置の近傍に治療器具を載置するテーブル、オペレーティングライト等が配置されている。そのため、被施術者（患者）が着座するときには当該歯科用椅子の側方から腰部を滑らせて着座部へ乗り込み、また、着座部から降りるときにも側方へ身体を向け、腰部などを移動させる場合がある。
上記先行技術文献に開示された構造を歯科用椅子に用いると、被施術者の乗降時に装飾用の帯体が座面などからめくれ上がることになり、ストレスが加わって縫合部分などを痛めてしまう。また、上記のストレスによって着座部や背凭れ部に備えた綿等の詰め物が型崩れを起こすことがあり、このような構造を歯科用椅子に採用することは難しいという問題点があった。
【０００９】
本発明は前記した課題を解決せんとするもので、その目的とするところは、複数のクッション層を備えることによって単一のクッション層に比べて高い質感が得られるとともに、被施術者の挙動を考慮した十分な耐久性を有する歯科用椅子の表皮構造を提供する。
【課題を解決するための手段】
【００１０】
本発明の歯科用椅子の表皮構造は、前記した目的を達成せんとするもので、請求項１の手段は、着座部または背凭れ部を被覆して第１クッション材を内包する第１表皮部材と、第１表皮部材の表面を覆って該第１表皮部材表面との間に第２クッション材を内包する第２表皮部材とを備え、第１表皮部材は、着座した被施術者の身体と接触する着座面側表皮部材、および、身体と接触しないまち側表皮部材によって被覆形状を形成しており、第２表皮部材は、一端を着座面側表皮部材に縫着され、他端をまち側表皮部材に縫着されて第２クッション材が弾力性を維持する程度の内空間を有する袋状に設置されることを特徴とする。
【００１１】
請求項２の手段は、前記した請求項１において、第１クッション材と第２クッション材は、硬度あるいは弾力が異なることを特徴とする。
【００１２】
請求項３の手段は、前記した請求項１または２において、まち側表皮部材と第２表皮部材とを縫着する縫製ラインは、着座面側表皮部材とまち側表皮部材とを縫着する縫製ラインと異なる位置に設けられていることを特徴とする。
【００１３】
請求項４の手段は、前記した請求項１から３のいずれか一項において、第２表皮部材は、該歯科用椅子の側方となる第１表皮部材表面に設置されることを特徴とする。
【発明の効果】
【００１４】
本発明は前記したように、第１表皮部材を着座した被施術者の身体と接触する着座面側表皮部材、および、身体と接触しないまち側表皮部材によって被覆形状を形成し、第２表皮部材は、一端を着座面側表皮部材に縫着し、他端をまち側表皮部材に縫着して、第２クッション材が弾力性を維持する程度の内空間を有する袋状に設置したので、型崩れせずに見栄えを長期間保つことができ、高い質感を十分に維持することができる。
【図面の簡単な説明】
【００１５】
【図１】本発明による実施例１の歯科用椅子の表皮構造を用いた歯科用椅子の概観図である。
【図２】図１に示した着座部の構成を示す説明図である。
【図３】従来の歯科用椅子の概略構成を示す斜視図である。
【図４】従来の歯科用椅子の他の概略構成を示す斜視図である。
【発明を実施するための形態】
【００１６】
以下、この発明の実施の一形態を説明する。
【実施例１】
【００１７】
図１は、本発明による実施例１の歯科用椅子の表皮構造を用いた歯科用椅子の概観図である。図示した歯科用椅子１は、ヘッドレスト２、背凭れ部３、着座部４などによって概略構成されている。特に、背凭れ部３および着座部４は、例えば金属等のフレーム構造体に、表皮部材等で覆ったクッション材などを装着し、着座した被施術者の身体を保持する形状に成形されている。
【００１８】
図２は、図１に示した着座部４の構成を示す説明図である。図２（ａ）は、着座部４の斜視図であり、図２（ｂ）は、図２（ａ）に示したＡ−Ａ線における着座部４の概略断面図である。図２（ａ）の着座部４は、図中左側が背凭れ部３と近接する着座面奥側であり、図中右側が着座部４（着座面）の前端部分である。
着座部４は、図示されないフレーム等の構造体を第１表皮部材１０で覆ったもので、その内部には第１クッション材２０が詰め込まれている。
【００１９】
第１表皮部材１０は、例えば合成皮革材、本革材、合成繊維材等の素材を用いたものであり、複数種の所定形状に裁断され、これらを互いに縫着することによって前述のフレーム構造体を覆う形状に成形される。なお、後述する第２表皮部材１１についても、例えば上記と同様な素材を用いたものであり、また、第１表皮部材１０と異なる素材を用いてもよい。
第１クッション材２０は、例えば、ウレタンスポンジ、フェルト材、綿材等の素材を用いたもので、適度な弾力、硬度などを備えており、着座部４に被施術者等が腰掛けたことによって着座部４が変形（着座面が沈下）したとき、元の形状へ戻るように、例えば着座部４のフレーム等の構造体と第１表皮部材１０との間に（第１表皮部材１０の裏面側に）備えられている。
【００２０】
着座部４の着座面、即ち、被施術者等の身体と接する部位には、第２表皮部材１１が設置されている。図２に例示したものは、歯科用椅子１において着座部４の両側方となる部位に、各々第２表皮部材１１が縫い付け固定されている。即ち、着座部４の左右両側部分を覆うように、２つの第２表皮部材１１が設置されており、着座面の中央部分に第１表皮部材１０の表面が露出している。
【００２１】
第２表皮部材１１は、第１表皮部材１０の表面と密着することなく袋状となるように、即ち、第１表皮部材１０表面との間に適度な内空間が生じるように、若干の余裕をもたせて縫着されており、この内空間には第２クッション材２１が詰め込まれている。
なお、上記の内空間は、第２クッション材２１の弾力が作用し、また、弾力性等が所定期間以上維持される大きさを有するものである。
また、第２クッション材２１は、前述の第１クッション材２０と同様な素材であってもよいが、硬度、あるいは弾力等が異なる素材を用いてもよく、第１クッション材２０と積層することにより、被施術者が着座したとき適度に沈下して触感を穏やかなものとし、また、着座した身体を安定させて保持することが可能な硬度を有するものである。
【００２２】
着座部４の着座面ならびに側面等を覆う第１表皮部材１０は、例えば着座面を覆う着座面側表皮部材１０ａと、着座部４の側面（着座部４の厚みとなる部位）を覆うまち側表皮部材１０ｂとを、当該着座部４の側面となる部位において縫着させたものである。即ち、着座面側表皮部材１０ａとまち側表皮部材１０ｂは、歯科用椅子１（着座部４）の側端となる部分で縫着されており、縫い付け糸が形成する縫製ライン１２は、例えば着座部４の左右両側面部分に設けられている。なお、上記の着座面側表皮部材１０ａは、歯科用椅子１に着座した被施術者等の身体に接触する部分に配置され、まち側表皮部材１０ｂは、着座した被施術者等の身体に接触しない部分に配置されるものである。
【００２３】
第２表皮部材１１は、各縁端部が第１表皮部材１０と密着するように縫着されており、第１表皮部材１０との間に詰め込まれた第２クッション材２１を所定形状に維持するように、また着座部４の外部へ排出されないように覆っている。
詳しくは、着座部４の側端に配置される、第２表皮部材１１の一端部をまち側表皮部材１０ｂに縫着し、着座部４の中央側など（着座部４の側端以外）に配置される、第２表皮部材１１の他端部（各端部）を着座面側表皮部材１０ａに縫着して、各縫製ライン等の設置によって第２クッション材２１を着座部４の所定位置に配置し、また、所定形状に成形している。上記のように第２表皮部材１１の各端部を縫着することにより、当該第２表皮部材１１の縁端部分が全体的に第１表皮部材１０等に固定され、着座部４に被施術者等が乗降するときなどに、第２表皮部材１１の縁端部分がめくれ上がることを防ぐように構成している。
【００２４】
図２に例示した着座部４では、第２表皮部材１１の一端部とまち側表皮部材１０ｂを縫着する縫い付け糸の縫製ライン３０が、前述の縫製ライン１２よりも上方に配置され、この縫着部位にパイピング部材１３を設置して着座部４の装飾を行っている。
また、第２表皮部材１１と着座面側表皮部材１０ａとを縫着する縫い付け糸の縫製ライン３１は、概ね着座部４の前端から後端へ渡って設けられ、この縫着部分（第２表皮部材１１の他端部）は着座面より大きく突出することがないように処理され、着座した被施術者に不快な感触を与えないように構成されている。
【００２５】
ここで説明した着座部４は、歯科用椅子１における左右両側方に第２表皮部材１１等を縫着し、２つのクッション層を積層配置した構成であるが、第２表皮部材１１等を配置する位置は着座部４の両側方に限定されるものではない。例えば、着座部４の前端側に第２表皮部材１１等を縫着し、この部分に２つのクッション層を配置する構成であってもよく、被施術者の着座感を向上させる位置に、適当な形状に成形して第２表皮部材１１ならびに第２クッション材２１等を配設してもよい。
また、ここでは、着座部４に第２表皮部材１１ならびに第２クッション材２１等を配設した構成を説明したが、背凭れ部３などに第２表皮部１１、第２クッション材２１等に相当するものを配置固定し、図２（ｂ）に示した断面構造と同様に構成することも可能である。
【符号の説明】
【００２６】
１          歯科用椅子
２          ヘッドレスト
３          背凭れ部
４          着座部
１０        第１表皮部材
１０ａ      着座面側表皮部材
１０ｂ      まち側表皮部材
１１        第２表皮部材
１２        縫製ライン
１３        パイピング部材
２０        第１クッション材
２１        第２クッション材
３０，３１  縫製ライン
１００      着座部
１０１      表皮部
１０１ａ    着座面側表皮部材
１０１ｂ    側面側表皮部材
１０２      パイピング部
１０３      クッション材
１１０      ヘッドレスト部
１１１      背凭れ部
１１２      着座部
１２０      第２表皮部材
１２１      第１表皮部材
１２１ａ    正面側表皮部材
１２１ｂ    まち側表皮部材
１３０      第１クッション材
１３１      第２クッション材
【図１】
2017153539.tif 000003
【図２】
2017153539.tif 000004
【図３】
2017153539.tif 000005
【図４】
2017153539.tif 000006